(57)【要約】  無線通信デバイス（１０２）と少なくとも１つのネットワークノード（１０１）の複数の受信パネル（１０１３−１、１０１３−２）との間に複数のチャネル（１５１、１５２、１５９、４５１、４５２）を含む、マルチチャネルアップリンク送信（１９９）を構成する方法が提供される。複数の受信パネル（１０１３−１、１０１３−２）及び少なくとも１つのネットワークノード（１０１）は、バックホールリンク（１０１８−１、１０１８−２）を介して接続される。方法は、無線通信デバイス（１０２）によって実行される。方法は、マルチチャネルアップリンク送信（１９９）のためのダウンリンクメッセージ符号化制御データ（４００１）を、少なくとも１つのネットワークノード（１０１）から受信することを含み、制御データ（４００１）は、バックホールリンクに関連付けられる。方法は、制御データ（４００１）に基づいてマルチチャネルアップリンク送信（１９９）を構成することをさらに含む。【選択図】図３
2021533664.tif 000002
【特許請求の範囲】
【請求項１】
無線通信デバイス（１０２）と、少なくとも１つのネットワークノード（１０１）の複数の受信パネル（１０１３−１、１０１３−２）との間に複数のチャネル（１５１、１５２、１５９、４５１、４５２）を含む、マルチチャネルアップリンク送信（１９９）を構成する方法であって、前記複数の受信パネル（１０１３−１、１０１３−２）及び前記少なくとも１つのネットワークノード（１０１）は、バックホールリンク（１０１８−１、１０１８−２）を介して接続され、前記方法は、前記無線通信デバイス（１０２）によって実行され、
前記方法は、
‐前記マルチチャネルアップリンク送信(１９９)のためのダウンリンクメッセージ符号化制御データ（４００１）を、前記少なくとも１つのネットワークノード（１０１）から受信することであって、前記制御データ（４００１）は、前記バックホールリンクに関連付けられる、受信することと、
‐前記制御データ（４００１）に基づいて、前記マルチチャネルアップリンク送信（１９９）を構成することと、を含む、方法。
【請求項２】
前記構成することは、（ｉ）それぞれの前記複数の受信パネル（１０１３−１、１０１３−２）を非コヒーレントに目標とするビームフォーミングされた送信経路と、（ｉｉ）前記複数の受信パネル（１０１３−１、１０１３−２）をコヒーレントに目標とする空間的に多様な送信経路との間で選択することを含む、請求項１に記載の方法。
【請求項３】
前記無線通信デバイス（１０２）はアンテナを含み、
前記構成することは、前記アンテナに対するアンテナ重みを決定することを含む、
請求項１又は２に記載の方法。
【請求項４】
前記構成することは、前記無線通信デバイス（１０２）と前記少なくとも１つのネットワークノード（１０１）との間のエンドツーエンドのスループットの最適化を実行することを含む、請求項１〜３のいずれか１つに記載の方法。
【請求項５】
前記構成することは、前記マルチチャネルアップリンク送信（１９９）の前記複数のチャネル（１５１、１５２、１５９、４５１、４５２）に対する流入トラフィックシェーピングを含む、請求項１〜４のいずれか１つに記載の方法。
【請求項６】
前記流入トラフィックシェーピングは、前記マルチチャネルアップリンク送信（１９９）の前記複数のチャネル（１５１、１５２、１５９、４５１、４５２）のボンディング（４１２）を含む、請求項５に記載の方法。
【請求項７】
前記制御データ（４００１）は、前記マルチチャネルアップリンク送信（１９９）の前記複数のチャネル（１５１、１５２、１５９、４５１、４５２）に対する前記流入トラフィックシェーピングのレート割り当てを示す、請求項５又は６に記載の方法。
【請求項８】
前記構成することは、前記マルチチャネルアップリンク送信（１９９）の変調方式、符号化方式、及び繰り返しベースのカバレッジ拡張の繰り返し回数のうちの少なくとも１つを設定することを含む、請求項１〜７のいずれか１つに記載の方法。
【請求項９】
前記制御データ（４００１）は、前記バックホールリンク（１０１８−１、１０１８−２）のうちの少なくとも１つのサービス品質を示す、請求項１〜８のいずれか１つに記載の方法。
【請求項１０】
複数の受信パネル（１０１３−１、１０１３−２）へのアクセスを有するネットワークノードを動作する方法であって、前記複数の受信パネル（１０１３−１、１０１３−２）及び少なくとも１つのネットワークノード（１０１）は、バックホールリンク（１０１８−１、１０１８−２）を介して接続され、
前記方法は、
‐マルチチャネルアップリンク送信（１９９）のためのダウンリンクメッセージ符号化制御データ（４００１）を、無線通信デバイス（１０２）に送信することであって、前記制御データ（４００１）は、前記バックホールリンクに関連付けられる、送信することと、
‐前記制御データに（４００１）基づいて構成される前記マルチチャネルアップリンク送信（１９９）に関与することと、を含む、方法。
【請求項１１】
無線通信デバイス（１０２）と、少なくとも１つのネットワークノードの（１０１）の複数の受信パネル（１０１３−１、１０１３−２）との間に複数のチャネル（１５１、１５２、１５９、４５１、４５２）を含むマルチチャネルアップリンク送信（１９９）を構成するように動作する前記無線通信デバイスであって、前記複数の受信パネル（１０１３−１、１０１３−２）及び前記少なくとも１つのネットワークノードの（１０１）は、バックホールリンク（１０１８−１、１０１８−２）を介して接続され、
前記無線通信デバイスは、
‐前記マルチチャネルアップリンク送信（１９９）のためのダウンリンクメッセージ符号化制御データ（４００１）を、前記少なくとも１つのネットワークノード（１０１）から受信し、前記制御データ（４００１）は、前記バックホールリンクに関連付けられ、
‐前記制御データ（４００１）に基づいて、前記マルチチャネルアップリンク送信（１９９）を構成する、ように構成されている、無線通信デバイス。
【請求項１２】
複数の受信パネルへのアクセスを有するネットワークノードであって、前記複数の受信パネル（１０１３−１、１０１３−２）及び少なくとも１つのネットワークノード（１０１）は、バックホールリンク（１０１８−１、１０１８−２）を介して接続され、
前記ネットワークノードは、
‐マルチチャネルアップリンク送信（１９９）のためのダウンリンクメッセージ符号化制御データ（４００１）を、無線通信デバイス（１０２）に送信し、前記制御データ（４００１）は、前記バックホールリンクに関連付けられ、
‐前記制御データに（４００１）基づいて構成される前記マルチチャネルアップリンク送信（１９９）に任意選択的に関与する、ように構成されている、ネットワークノード。
【発明の詳細な説明】
【技術分野】
【０００１】
本発明の様々な実施例は、一般に、複数のアンテナパネルを採用するマルチチャネルアップリンク送信に関する。様々な実施例は、特に、複数のアンテナパネルのバックホールリンクが、例えば、スループット、レイテンシなどに関して、動作上の制限に直面するシナリオに関する。
【背景技術】
【０００２】
無線通信は、空間的に定義された電波の送信経路を使用して実装されることがある。各送信経路は、それぞれのチャネルに対応する。
【０００３】
典型的には、空間的に定義された送信経路の実装は、アンテナパネルの複数のアンテナを使用することを含む。これらの技術は、一般に、複数のアンテナ技術と呼ばれる。
【０００４】
複数のアンテナ技術は、様々な方法で実装することができる。第１の実施例では、空間多重化（多くの場合、Multiple  Input  Multiple  Output：ＭＩＭＯとも呼ばれる）を使用して、全体のデータレートを増加することができる。ここで、複数の空間的に多様な送信経路が、送信機と受信機の間に設定される。第２の実施例はビームフォーミングを含み、ここで、送信及び／又は受信（通信）のための空間指向性は、複数のアンテナにおける破壊的及び建設的干渉によって達成される。１つ以上のビームフォーミングされた送信経路が設定される。
【０００５】
場合により、ノードは、互いに離間され、利用可能なバックホールリンクを介して接続された、複数の別個のアンテナパネル（リモート無線ヘッド、ＲＲＨとも呼ばれる）にアクセスすることができる。例えば、Third  Generation  Partnership  Project：３ＧＰＰ  TSG  RAN  WG1  Meeting#88:document  R1-1702673、又は、3GPP  TSG  RAN  Meeting#80:document  RP-181453を参照されたい。このような機能は、マルチ送信パネル（マルチＴＲＰ）と呼ばれることがある。典型的には、マルチＴＲＰの場合、ＲＲＨは少なくとも１００ｍ、又は少なくとも４００ｍ離間されている。
【０００６】
マルチＴＲＰシナリオにおける複数のＲＲＨ間の接続性は、バックホールリンクによって課される動作上の制限によって影響を受ける可能性があることが観察されている。ＲＲＨ間の接続性におけるこのような制限により、複数のアンテナ技術を実装することが困難になる場合がある。
【発明の概要】
【課題を解決するための手段】
【０００７】
したがって、非理想的なバックホールリンクを備えた複数のＲＲＨを使用する、高度な複数のアンテナ技術が必要とされている。
【０００８】
この必要性は、独立請求項の特徴によって達成される。従属請求項の特徴は、実施形態を定義する。
【０００９】
無線通信デバイスと少なくとも１つのネットワークノードの複数の受信パネルとの間に複数のチャネルを含むマルチチャネルアップリンク送信を構成する方法が提供される。複数の受信パネル及び少なくとも１つのネットワークノードは、バックホールリンクを介して接続される。方法は、無線通信デバイスによって実行される。方法は、マルチチャネルアップリンク送信のためのダウンリンクメッセージ符号化制御データを少なくとも１つのネットワークノードから受信することを含み、制御データはバックホールリンクに関連付けられる。方法は、制御データに基づいて、マルチチャネルアップリンク送信を構成することをさらに含む。
【００１０】
複数の受信パネルは、少なくとも１つのネットワークノードによってアクセスされてもよい。
【００１１】
少なくとも１つのネットワークノードは、通信ネットワークの基地局などのアクセスノードであってもよい。
【００１２】
コンピュータプログラム製品又はコンピュータプログラムは、制御回路によって実行可能なプログラムコードを含む。プログラムコードを実行することにより、制御回路に、無線通信デバイスと少なくとも１つのネットワークノードの複数の受信パネルとの間に複数のチャネルを含むマルチチャネルアップリンク送信を構成する方法を実行させる。複数の受信パネル及び少なくとも１つのネットワークノードは、バックホールリンクを介して接続される。方法は、無線通信デバイスによって実行される。方法は、マルチチャネルアップリンク送信のためのダウンリンクメッセージ符号化制御データを少なくとも１つのネットワークノードから受信することを含み、制御データは、バックホールリンクに関連付けられる。方法は、制御データに基づいて、マルチチャネルアップリンク送信を構成することをさらに含む。
【００１３】
コンピュータ可読記憶媒体は、制御回路によって実行可能なプログラムコードを含む。プログラムコードを実行することにより、制御回路に、無線通信デバイスと少なくとも１つのネットワークノードの複数の受信パネルとの間に複数のチャネルを含むマルチチャネルアップリンク送信を構成する方法を実行させる。複数の受信パネル及び少なくとも１つのネットワークノードは、バックホールリンクを介して接続される。方法は、無線通信デバイスによって実行される。方法は、マルチチャネルアップリンク送信のためのダウンリンクメッセージ符号化制御データを少なくとも１つのネットワークノードから受信することを含み、制御データは、バックホールリンクに関連付けられる。方法は、制御データに基づいて、マルチチャネルアップリンク送信を構成することをさらに含む。
【００１４】
無線通信デバイスは、無線通信デバイスと、少なくとも１つのネットワークノードの複数の受信パネルとの間に複数のチャネルを含む、マルチチャネルアップリンク送信を構成するように動作し、複数の受信パネル及び少なくとも１つのネットワークノードは、バックホールリンクを介して接続され、無線通信デバイスは、マルチチャネルアップリンク送信のためのダウンリンクメッセージ符号化制御データを、少なくとも１つのネットワークノードから受信し、制御データは、バックホールリンクに関連付けられ、制御データに基づいて、マルチチャネルアップリンク送信を構成するように構成されている。
【００１５】
複数の受信パネルへのアクセスを有するネットワークノードを動作する方法が提供される。複数の受信パネル及び少なくとも１つのネットワークノードは、バックホールリンクを介して接続される。方法は、マルチチャネルアップリンク送信のためのダウンリンクメッセージ符号化制御データを無線通信デバイスに送信することを含み、制御データはバックホールリンクに関連付けられる。方法はまた、制御データに基づいて構成されるマルチチャネルアップリンク送信に関与することを含み得る。
【００１６】
コンピュータプログラム製品又はコンピュータプログラムは、制御回路によって実行可能なプログラムコードを含む。プログラムコードを実行することにより、制御回路に、複数の受信パネルへのアクセスを有するネットワークノードを動作する方法を実行させる。複数の受信パネル及び少なくとも１つのネットワークノードは、バックホールリンクを介して接続される。方法は、マルチチャネルアップリンク送信のためのダウンリンクメッセージ符号化制御データを無線通信デバイスに送信することを含み、制御データは、バックホールリンクに関連付けられる。方法はまた、制御データに基づいて構成されるマルチチャネルアップリンク送信に関与することを含み得る。
【００１７】
コンピュータ可読記憶媒体は、制御回路によって実行可能なプログラムコードを含む。プログラムコードを実行することにより、制御回路に、複数の受信パネルへのアクセスを有するネットワークノードを動作する方法を実行する。複数の受信パネル及び少なくとも１つのネットワークノードは、バックホールリンクを介して接続される。方法は、マルチチャネルアップリンク送信のためのダウンリンクメッセージ符号化制御データを無線通信デバイスに送信することを含み、制御データは、バックホールリンクに関連付けられる。方法はまた、制御データに基づいて構成されるマルチチャネルアップリンク送信に関与することを含み得る。
【００１８】
複数の受信パネルへのアクセスを有するネットワークノードが提供される。複数の受信パネル及び少なくとも１つのネットワークノードは、バックホールリンクを介して接続される。ネットワークノードは、マルチチャネルアップリンク送信のためのダウンリンクメッセージ符号化制御データを無線通信デバイスに送信するように構成されており、制御データは、バックホールリンクに関連付けられる。ネットワークノードはさらに、制御データに基づいて構成されるマルチチャネルアップリンク送信に関与するように構成され得る。
【００１９】
上記の特徴及び以下に説明されていない特徴は、示されたそれぞれの組み合わせにおいてのみでなく、他の組み合わせにおいても、又は単独においても、本発明の範囲から逸脱することなく使用され得ることを理解されたい。
【図面の簡単な説明】
【００２０】
【図１】図１は、様々な実施例による無線通信システムを概略的に示す。
【図２】図２は、図１の無線通信システムをより詳細に概略的に示し、ここで、無線通信システムの基地局は、複数のＲＲＨを含む。
【図３】図３は、図１は、図１及び図２の無線通信システムのためのビームフォーミングシナリオを、概略的に示す。
【図４】図４は、図１及び図２の無線通信システムのためのＭＩＭＯシナリオを、概略的に示す。
【図５】図５は、様々な実施例によるシグナリング図である。
【図６】図６は、様々な実施例によるマルチチャネルＵＬ送信を構成することを概略的に示す。
【図７】図７は、様々な実施例による方法のフローチャートである。
【図８】図８は、様々な実施例による方法のフローチャートである。
【発明を実施するための形態】
【００２１】
以下において、添付図面を参照して発明の実施形態を詳細に記載する。以下の実施形態の説明は、限定された意味で解釈されないことを理解されたい。本発明の範囲は、以下に記載される実施形態又は図面によって限定されることを意図するものではなく、例示的なものにすぎないと解釈される。
【００２２】
図面は概略表現とみなされ、図面に示される要素は必ずしも縮尺通りに示されてはいない。むしろ、様々な要素は、それらの機能及び一般的な目的が当業者に明らかになるように表される。機能ブロック、デバイス、構成要素、又は図面に示されるか又は本明細書に記載される他の物理的もしくは機能的ユニット間の任意の接続もしくは結合もまた、間接的な接続又は結合によって実装されることがある。構成要素間の結合は、無線接続を介して確立されてもよい。機能ブロックは、ハードウェア、ファームウェア、ソフトウェア、又はそれらの組み合わせで実装されてもよい。
【００２３】
本明細書に記載する様々な実施例は、無線通信システムの第１のノードと第２のノードとの間の無線通信に関する。第１のノード及び第２のノードは、複数のアンテナ技術、例えばＭＩＭＯ及び／又はビームフォーミングを使用して無線リンク上で通信する。
【００２４】
本明細書に記載される様々な実施例では、マルチＴＲＰが使用され、ここで、第１のノードは、複数のＲＲＨへのアクセスを有してもよい。複数のＲＲＨは、バックホールリンクを介して互いに及び／又はそれぞれのノードに接続される。一般原則として、バックホールリンクはまた、無線送信に依存することができる。また、有線送信も可能である。
【００２５】
様々な実施例によれば、バックホールリンクのうちの少なくとも１つは、データスループットの制限に直面している。これは、複数のＲＲＨ間の距離、バックホールリンクのシステム負荷、及び／又はコアネットワークシグナリングの制限が原因による可能性がある。一般に、バックホールリンクのうちの少なくとも１つは、非理想的なシステムの挙動を有し得る。ＲＲＨ間接続の制限が、結果として生じる可能性がある。
【００２６】
以下に、端末（ユーザー機器（User  Equipment：ＵＥ））などの無線通信デバイスと通信ネットワークとの間の移動無線通信に関する技術について記載する。通信ネットワークは、典型的には、１つ以上の基地局（Base  Station：ＢＳ）を有する無線アクセスネットワーク（Radio  Access  Network：ＲＡＮ）、及びコアネットワーク（Core  Network：ＣＮ）を含む。１つ以上のＢＳは、マルチＴＲＰに従って複数のＲＲＨを装備することができる。ＵＥと１つ以上のＢＳとの間の移動無線通信のこの設定は１つの実装例であり、他の実装例では、複数のアンテナ技術を採用する無線リンクが、マルチＴＲＰに従ってそれぞれが複数のＲＲＨを含む２つの静止ノード間で実装されることも可能である。
【００２７】
以下に、ＵＥからＲＡＮへのアップリンク（Uplink：ＵＬ）送信に関する技術について記載する。具体的には、マルチチャネルＵＬ送信を構成することを可能にする技術が記載され、マルチチャネルＵＬ送信は、複数のＲＲＨに関連付けられた複数のチャネルを含む。一般原則として、１つ以上のチャネルを各ＲＲＨに関連付けてもよい。異なるＲＲＨを異なるチャネルに関連付けてもよい。
【００２８】
本明細書で使用されるチャネルは、無線での２つのエンドノード間の接続性、例えばＵＥと少なくとも１つのＲＲＨとの間の接続性に関連し得る。チャネルは、無線送信経路によって特徴付けられてもよい。アンテナパネルのアンテナのアンテナ重みによって、様々な送信経路を構成することができる。アンテナ重みは、様々なアンテナによって送信される信号間の振幅及び位相関係を定義し得る。チャネルは、特定の変調方式及び／又は特定の符号化方式によって特徴付けられてもよい。チャネルは、特定の繰り返しベースのカバレッジ拡張（Coverage  Enhancement：ＣＥ）ポリシーによって特徴付けられてもよく、例えば、繰り返しレベルを定義してもよい。チャネルは、チャネルを介して交換されるパケット化されたデータの１つ以上のパラメータ、例えば、データユニットサイズなどによって特徴付けられてもよい。
【００２９】
複数のＲＲＨに関連付けられた複数のチャネルを使用することによって、空間多重化を達成することができる。これにより、ＵＥとＲＡＮとの間の全体的なデータスループットを増加することができる。
【００３０】
様々な実施例によれば、マルチチャネルＵＬ送信のマルチチャネルの構成は、ネットワークによって提供される制御データを考慮する。例えば、ネットワークは、制御データを符号化するダウンリンク（Downlink：ＤＬ）メッセージを提供してもよい。例えば、層３無線リソース制御（Radio  Resource  Control：ＲＲＣ）ＤＬ制御メッセージを採用してもよい。例えば、ＤＬ制御メッセージは、物理ＤＬ制御チャネル（Physical  DL  Control  Channel：ＰＤＣＣＨ）上で通信されてもよい。次いで、ＵＥは、制御データに基づいてマルチチャネルＵＬ送信を構成することができる。
【００３１】
制御データは、バックホールリンクに関連付けられる。制御データを提供し、それに応じてマルチチャネルＵＬ送信を構成することによって、バックホールリンクを考慮してＵＥにおける特定の基準を考慮することが可能になり、さもなければＵＥに対してアクセス不能／透過的となる。例えば、バックホールリンクの特定の制限を考慮することができる。これは、ＵＥと通信ネットワークとの間の全体的なエンドツーエンドのスループットを最適化するのに役立つ。
【００３２】
例えば、制御データは、バックホールリンクの１つ以上の特性に従って決定することができる。代替的又は追加的に、制御データは、バックホールリンクの１つ以上の特性を示すことができる。
【００３３】
一般に、マルチチャネルＵＬ送信を構成するための利用可能な様々なオプションがある。いくつかの例示的なオプションについて、以下に記載する。一実施例では、例えば、変調方式及び／もしくは符号化方式を設定することによって、ならびに／又はビームフォーミング技術とＭＩＭＯ技術との間で選択することによって、ならびに／又は繰り返しレベルを設定することによって、マルチチャネルＵＬ送信のチャネルを構成することが可能である。代替的又は追加的に、複数のチャネルの流入トラフィックシェーピングアップストリームを構成することによって、マルチチャネルＵＬ送信を構成することも可能である。例えば、レート割り当てルールが、複数のチャネル間に入ってくるデータを分配するために使用されてもよく、１つ以上のボンディング特性が適切に設定されてもよい。
【００３４】
図１は、本明細書に開示される技術から恩恵を受け得る通信システム１００を概略的に示す。通信システム１００は、３Ｇ、４Ｇ、又は今後の５Ｇ  ＮＲなどの３ＧＰＰ標準化されたネットワークに従って実装し得る。他の実施例としては、米国電気電子学会（Institute  of  Electrical  and  Electronics  Engineers：ＩＥＥＥ）が指定するネットワーク、例えば８０２．１１ｘ  Ｗｉ−Ｆｉプロトコル又はＢｌｕｅｔｏｏｔｈ（登録商標）プロトコルなどのポイントツーポイントネットワークが挙げられる。さらなる実施例としては、３ＧＰＰ  ＮＢ−ＩＯＴ又はｅＭＴＣネットワークが挙げられる。
【００３５】
通信システム１００は、ＢＳ１０１及びＵＥ１０２を含む。ＢＳ１０１は、ＲＡＮ（図１に示されていない）の一部である。ＲＡＮは、複数のＢＳを含んでもよい。
【００３６】
無線リンク１１１は、ＢＳ１０１、例えば、３ＧＰＰ  ＮＲフレームワーク内のｇＮＢと、ＵＥ１０２との間に確立される。無線リンク１１１は、ＢＳ１０１からＵＥ１０２へのＤＬ無線リンクを含み、ＵＥ１０２からＢＳ１０１へのＵＬ無線リンクをさらに含む。
【００３７】
一般原則として、様々なマルチアンテナ技術は、無線リンク１１１上での通信のために実装されてもよく、例えば、ＭＩＭＯ及び／又はビームフォーミングを含む。
【００３８】
ＵＥ１０２は、スマートフォン、携帯電話、タブレット、ノートブック、コンピュータ、スマートテレビ、ＭＴＣ無線通信デバイス、ｅＭＴＣ無線通信デバイス、ＩｏＴ無線通信デバイス、ＮＢ−ＩｏＴ無線通信デバイス、センサ、アクチュエータなどのうちの１つであってもよい。
【００３９】
図２は、通信システム１００、ＢＳ１０１、及びＵＥ１０２をより詳細に、概略的に示す。
【００４０】
ＢＳ１０１は、プロセッサ１０１１、メモリ１０１５、及びインタフェース１０１２を含む。
【００４１】
インタフェース１０１２は、無線リンク１１１を介して送信及び／又は受信（通信）するように構成されている。この場合、インタフェース１０１２は、バックホールリンク１０１８−１、１０１８−２を介して、２つのＲＲＨ１０１３−１、１０１３−２と接続される。各ＲＲＨ１０１３−１、１０１３−２は、複数のアンテナ１０１４を含む。図２に示すように、ＲＲＨ１０１３−１、１０１３−２は、特定の距離、典型的には、少なくとも数メートル、又は数１００メートル、互いに分離されている。各アンテナ１０１４は、無線周波数電流を搬送するための１つ以上の電気配線を含んでもよい。各アンテナ１０１４は、電気配線によって実装される１つ以上のＬＣ発振器を含んでもよい。各配線は、特定のビームパターンで電磁波を放射してもよい。いくつかの実施例では、ＢＳ１０１は、複数のアンテナパネル（図２に示されていない）を含んでもよい。
【００４２】
典型的には、各ＲＲＨ１０１３−１、１０１３−２は、少なくとも４０本のアンテナ、又は少なくとも４００本のアンテナの数を含んでもよい。
【００４３】
ＢＳ１０１は、３つ以上のＲＲＨ１０１３−１、１０１３−２を含んでもよい。
【００４４】
プロセッサ１０１１及びメモリ１０１５は、制御回路を構成する。メモリ１０１５は、プロセッサ１０１１によって実行可能なプログラムコードを記憶することができる。プログラムコードを実行することにより、プロセッサ１０１１に、ＢＳ１０１からＵＥ１０２へ、又はＵＥ１０２からＢＳ１０１へのマルチチャネル送信のための制御データを提供することに関する技術の実行、マルチチャネルＵＬ送信への関与、ＭＩＭＯ送信への関与、ビームフォーミングされた送信への関与など、をさせてもよい。
【００４５】
ＵＥ１０２は、プロセッサ１０２１、メモリ１０２５、及びインタフェース１０２２を含む。インタフェース１０２２は、アンテナポート（図２に示されていない）を介して、複数のアンテナ１０２４を含むアンテナパネル１０２３に結合される。いくつかの実施例では、アンテナパネル１０２３は、少なくとも６本のアンテナ、任意選択的に少なくとも１６本のアンテナ、さらに任意選択的に少なくとも３２本のアンテナを含んでもよい。一般に、ＵＥ１０２のアンテナパネル１０２３は、ＢＳ１０１のＲＲＨ１０１３−１、１０１３−２よりも少ないアンテナ１０２４を含んでもよい。各アンテナ１０２４は、無線周波数電流を搬送するための１つ以上の電気配線を含んでもよい。各アンテナ１０２４は、電気配線によって実装される１つ以上のＬＣ発振器を含んでもよい。各配線は、特定のビームパターンで電磁波を放射してもよい。また、ＵＥ１０２は、複数のアンテナパネル１０２３（図２に示されていない）を含んでもよい。
【００４６】
プロセッサ１０２１及びメモリ１０２５は、制御回路を構成する。メモリ１０２５は、プロセッサ１０２１によって実行可能なプログラムコードを記憶することができる。プログラムコードを実行することにより、プロセッサ１０２１に、ＵＬマルチチャネル送信のための制御データを受信することに関する技術の実行、制御データに基づいたマルチチャネルＵＬ送信の構成、マルチチャネルＵＬ送信への関与、ＭＩＭＯ送信への関与、ビームフォーミングされた送信への関与など、をさせてもよい。
【００４７】
図３は、通信システム１００、ＢＳ１０１、及びＵＥ１０２をより詳細に、概略的に示す。図３のシナリオは、図２のシナリオに対応する。図３は、マルチチャネルＵＬ送信１９９に関連する態様を示す。具体的には、図３は、マルチチャネルＵＬ送信１９９の第１の実装形態を示す。図３は、ビームフォーミングに関する態様を示す。
【００４８】
図３の実施例では、マルチチャネルＵＬ送信１９９は、２つのチャネル１５１、１５２を含む。２つのチャネル１５１、１５２は、図３の例では、ビームフォーミングを使用して実装される。詳細には、複数のチャネル１５１、１５２にわたる空間多重化は、２つのビームフォーミングされた送信経路を使用することによって達成され、各ビームフォーミングされた送信経路は、それぞれのＲＲＨ１０１３−１、１０１３−２に関連付けられる。例えば、見通し（Line-Of-Sight：ＬＯＳ）又は非ＬＯＳ送信経路を使用してもよい。非ＬＯＳ送信経路は、１つ以上の反射を含む。
【００４９】
チャネル１５１はＵＥ１０２からＲＲＨ１０１３−１までであり、第２のチャネル１５２はＵＥ１０２からＲＲＨ１０１３−２までである。チャネル１５１は、ＵＥ１０２におけるアンテナパネル１０２３のアンテナ１０２４に対する適切なアンテナ重みによって実装された送信ビーム３１１に関連付けられる。チャネル１５１はまた、ＲＲＨ１０１３−１のアンテナ１０１４に対する適切なアンテナ重みによって実装された受信ビーム３１１にも関連付けられる。同様に、チャネル１５２は、送信ビーム３１２及び受信ビーム３３２に関連付けられる。ビーム３１１、３１２、３３１、３３２は、それぞれの送信経路の空間の向きを定義する。
【００５０】
受信ビーム３３１は、ＲＲＨ１０１３−１のアンテナ１０１４の位相コヒーレント受信によって実装される。受信ビーム３３２は、ＲＲＨ１０１３−２のアンテナ１０１４の位相コヒーレント受信によって実装される。受信ビーム３３１を実装するために、ＲＲＨ１０１３−２のアンテナ１０１４で受信された信号を考慮する必要はなく、同様に、受信ビーム３３２を実装するために、ＲＲＨ１０１３−１のアンテナ１０１４で受信された信号の振幅及び位相を考慮する必要はない。これは、チャネル１５１、１５２のビームフォーミングされた送信経路が、それぞれＲＲＨ１０１３−１及びＲＲＨ１０１３−２を非コヒーレントに目標とするためである。換言すれば、チャネル１５１に沿って通信される信号とチャネル１５２に沿って通信される信号との間に、厳密な位相関係は必要とされない。したがって、典型的には、複数のＲＲＨ１０１３−１、１０１３−２の動作間に時間及び／又は周波数同期は必要とされない。ＲＲＨ１０１３−１で受信した信号は、ＲＲＨ１０１３−２で受信した信号から独立して復号化することができる。幾分異なるシナリオが、図４に関連して示される。
【００５１】
図４は、通信システム１００、ＢＳ１０１、及びＵＥ１０２をより詳細に、概略的に示す。図４のシナリオは、図２のシナリオに対応する。図４は、マルチチャネルＵＬ送信に関連する態様を示す。具体的には、図４は、マルチチャネルＵＬ送信の第２の実装形態を示す。図４は、ＭＩＭＯに関する態様を示す。
【００５２】
図４のシナリオでは、マルチチャネルＵＬ送信は、２つのＲＲＨ１０１３−１、１０１３−２にわたってＭＩＭＯを使用して実装される。多数のチャネル１５９が存在し、具体的には、アンテナパネル１０２３のそれぞれのアンテナ１０２４と、両方のＲＲＨ１０１３−１、１０１３−２のそれぞれのアンテナ１０１４との間にチャネルが存在する。ここでも、各チャネル１５９は、それぞれの空間送信経路に関連付けられる。
【００５３】
チャネル１５９は、チャネルマトリクスの特異値分解に基づいて、低減された結合で互いに独立であるように設定することができる。受信機において様々なチャネルに沿って受信された信号の相関除去が可能であり、ゼロ強制と呼ばれることもある。プリコーディングマトリクスに関するフィードバックを有する閉ループＭＩＭＯ技術を使用することができる（プリコーディングマトリクス指標（Precoding  Matrix  Indication：ＰＭＩ））。
【００５４】
チャネル１５９に沿って通信される信号間に位相関係がある。したがって、複数のＲＲＨ１０１３−１、１０１３−２は、コヒーレントにチャネル１５９の目標とされる。
【００５５】
これは、全てのＲＲＨ１０１３−１、１０１３−２のアンテナ１０１４において受信された信号のコヒーレント復号化を必要とする。換言すれば、ＲＲＨ１０１３−１のアンテナ１０１４においてバックホールリンク１０１８−１を介して受信された信号の振幅及び位相に関する情報を提供すること、及び／又はＲＲＨ１０１３−２のアンテナ１０１４においてバックホールリンク１０１８−２を介して受信された信号の振幅及び位相に関する情報を提供することが要求され得る。また、ＲＲＨ１０１３−１、１０１３−２の動作間にタイミング及び／又は周波数同期が必要とされ得る。
【００５６】
このような振幅及び／又は位相に関する情報の交換、ならびに同期は通常、図３のシナリオの場合には必要とされないため、バックホールリンク１０１８−１、１０１８−２にかかる全体的なトラフィック負荷は、図３のシナリオの場合よりも図４のシナリオの場合の方が大きい傾向がある。非理想的なバックホールリンク１０１８−１、１０１８−２の場合、結果として遅延がもたらされることがある。これにより、ＵＥ１０２からＢＳ１０１へのエンドツーエンドＵＬデータスループットが制限されることがある。一方で、図３のビームフォーミングシナリオの場合の空間多重化は、図４のＭＩＭＯシナリオの場合よりも小さい傾向がある。これはまた、エンドツーエンドＵＬデータスループットの点で、図４のＭＩＭＯシナリオに有利である。
【００５７】
様々な技術は、マルチチャネルＵＬ送信１９９を構成する際にバックホールリンク１０１８−１、１０１８−２の特性が考慮される場合、エンドツーエンドＵＬデータスルーを最適化することができるという知見に基づく。具体的には、様々な技術は、非理想的なバックホールリンク１０１８−１、１０１８−２によって課せられる制限を考慮してチャネルＵＬ送信１９９を調整することによって、エンドツーエンドＵＬデータスループットを増加することができるという知見に基づく。このような技術の詳細については、以下に記載する。
【００５８】
図５は、ＢＳ１０１とＵＥ１０２との間の無線リンク１１１における通信のシグナリング図である。
【００５９】
３００１において、制御データ４００１は、ＢＳ１０１によって送信され、ＵＥ１０２によって受信される。制御データ４００１は、例えば、層３  ＲＲＣ符号化を使用して符号化することができる。例えば、制御データ４００１を層３  ＤＬ制御メッセージに含むことができる。制御データ４００１は、ブロードキャストされたメッセージ、例えば、システム情報ブロック（System  Information  Block：ＳＩＢ）に含むことが可能である。制御データ４００１は、セルごとのレベル、すなわち、セルラー通信ネットワーク内のセルに接続された、又はセル上にキャンプオンする、全てのＵＥに分配することができる。
【００６０】
制御データ４００１の情報内容は、実装によって異なる可能性がある。制御データ４００１の情報内容に応じて、ＵＥ１０２で実装される論理が異なってもよい。
【００６１】
例えば、ＢＳ１０１が、マルチチャネルＵＬ送信１９９の構成に関して、ＵＥの挙動をより大きい程度又はより小さい程度に指示するシナリオが考えられる。以下に、ＢＳ１０１がＵＥの挙動をより大きい程度に制御することができるシナリオに、制御データ４００１を実装するためのいくつかの例を与える。
【００６２】
例えば、第１のシナリオでは、制御データは、チャネル１５１、１５２、１５９の空間送信経路を実装するアンテナパネル１０２３に対するアンテナ重みを示してもよい。コードブックアプローチを使用してもよい。ＵＥ１０２は、制御データ４００１の各情報要素を読み出すことによって、アンテナ重みを決定することができる。
【００６３】
第２のシナリオでは、制御データは、複数の候補構成から選択された複数のチャネル１５１、１５２、１５９の構成を示すことができる。これは、コードブックベースアプローチに対応することができる。例えば、候補構成は、図４のＭＩＭＯシナリオ対図３のビームフォーミングシナリオに関係してもよい。例えば、候補構成は、変調方式及び／もしくは符号化方式ならびに／又はＣＥポリシーの繰り返しレベルを指定してもよい。ＵＥは、制御データ４００１のそれぞれの情報要素を読み取ることによって、マルチチャネルＵＬ送信１９９を構成することができる。
【００６４】
第３のシナリオでは、制御データは、マルチチャネルＵＬ送信１９９に関連してＵＥによって適用される流入トラフィックシェーピングのための１つ以上のレート割り当てルールを示すことができる。例えば、特定のチャネル１５１、１５２、１５９は、他のチャネルよりも関連データレートの低い閾値に従うことが要求されるなどの可能性がある。
【００６５】
第４の実施例では、ＢＳ１０１は、例えば、バックホールリンク１０１８−１、１０１８−２を考慮することなく無線リンク１１１上のスループットを最大にする方法で送信するように、ＵＥ１０２に通知することがある。このようなシナリオは、バックホールリンク１０１８−１、１０１８−２が十分に大きな容量を提供する場合に適用可能であり得る。
【００６６】
上記では、マルチチャネルＵＬ送信１９９のための適切な送信方策を選択するための決定論理が、完全に又は少なくとも部分的にＢＳ１０１に存在するシナリオについて記載されている。したがって、ＢＳ１０１はＵＥ１０２の挙動を指示する。
【００６７】
しかし、マルチチャネルＵＬ送信１９９のための適切な方策を選択するための決定論理が、ＢＳ１０１からＵＥ１０２に少なくとも部分的にシフトされる他のシナリオも考えられる。
【００６８】
例えば、制御データは、バックホールリンク１０１８−１、１０１８−２のうちの１つ以上のサービス品質を示すことができる。次いで、ＵＥ１０２は、１つ以上のバックホールリンク１０１８−１、１０１８−２のサービス品質に基づいて、マルチチャネルＵＬ送信１９９のための適切な送信方策を決定することができる。
【００６９】
一般原則として、サービス品質は、レイテンシ、エラー率、優先度、及びスループット率のうちの少なくとも１つを含んでもよい。例えば、それぞれの複数のバックホールリンク１０１８−１、１０１８−２のサービス品質を示すことができ、代替シナリオでは、最も強い制限に直面する特定のバックホールリンク１０１８−１、１０１８−２、例えば、最も高いレイテンシ、最も高いエラー率、及び／又は最も低いスループット率を有するバックホールリンクのサービス品質を示すことが可能である。このようなシナリオは、最悪の場合のアプローチを容易にし、制御シグナリングのオーバーヘッドを制限する。バックホールリンク１０１８−１、１０１８−２のうちの異なるものは、互いに関して優先順位付けされてもよい。
【００７０】
例えば、バックホールリンク１０１８−１、１０１８−２のうちの１つ以上のサービス品質は、定量的な数、例えば、１Ｈｚ当たり２ビット／秒によって示されてもよい。サービス品質はまた、コードブックによる品質指標によって示すことができる。例えば、３ビットインジケータを使用して、８つのサービス品質レベルを識別することができる。サービス品質レベルは、一般に明示的に又は暗黙的に示すことができる。サービス品質レベルの暗黙的な表示の実施例は、複数のＲＲＨ１０１３−１、１０１３−２に対して共通識別情報をシグナリングして、バックホールリンク１０１８−１、１０１８−２が、図４の実施例による複数のＭＩＭＯ送信経路にわたってコヒーレント復号化をサポートする能力を有することを示すことを、含むことができる。それとは異なり、複数のＲＲＨ１０１３−１、１０１３−２に対して異なる識別情報がシグナリングされる場合、これは、バックホールリンク１０１８−１、１０１８−２が、図４の実施例による複数のＭＩＭＯ送信経路にわたってコヒーレント復号化をサポートする能力を有していないことを示し得る。
【００７１】
次に、ブロック３００２において、ＵＥ１０２は、マルチチャネルＵＬ送信１９９を構成する。一般原則として、３００２におけるマルチチャネルＵＬ送信１９９を構成するための利用可能な様々なオプションがある。一般的に言えば、複数のチャネル１５１、１５２、１５９を構成すること、及び／又は無線リンク１１１に沿った無線送信の流入トラフィックシェーピングアップストリームを構成することが可能である。
【００７２】
マルチチャネルＵＬ送信１９９がどのように構成され得るかのいくつかの実施例を、以下に証明する。
【００７３】
（ｉ）例えば、マルチチャネルＵＬ送信１９９は、図３のシナリオに従って、すなわち、ＢＳ１０１のそれぞれのＲＲＨ１０１３−１、１０１３−２を非コヒーレントに目標とするビームフォーミングされた送信経路を使用して、構成されてもよく、又は、図４のシナリオに従って、すなわち、ＲＲＨ１０１３−１、１０１３−２をコヒーレントに目標とする空間的に多様なＭＩＭＯ送信経路を使用して、構成されてもよい。ＵＥ１０２は、制御データ４００１に基づいて、３００２においてこれらのシナリオ間のそれぞれの選択を実装することができる。
【００７４】
上述したように、ＭＩＭＯとビームフォーミングとの間で選択することによって、バックホールリンク１０１８−１、１０１８−２にかかる負荷を調整することができ、それによって、上記で説明したように、エンドツーエンドＵＬデータスループットを調整することが可能である。
【００７５】
（ｉｉ）さらなる実施例として、３００２における複数のチャネル１５１、１５２、１５９の構成は、ＵＥ１０２におけるアンテナパネル１０２３に対する適切なアンテナ重みを決定することを含んでもよい。一般に、アンテナ重みを決定するための利用可能な様々なオプションがある。例えば、図３のビームフォーミングシナリオについては、送信ビーム３１１、３１２に対するアンテナ重みは、コードブックベースアプローチを使用して決定することが可能である。ここで、ビームスイープ、例えば、ＤＬビームスイープ（相関を前提として）及び／又はＵＬビームスイープを実装することが可能である。ビームスイープのビーム上で１つ以上のパイロット信号を通信することができ、次いで、１つ以上のパイロット信号の受信特性に基づいて適切なビームを選択することができる。特に、適切なビームは、コードブックから、すなわち、所定の候補ビームのセットから選択することができる。異なるビームスイープが、異なるＲＲＨ１０１３−１、１０１３−２に対して実装されてもよい。代替の実装形態では、送信ビーム３１１、３１２に対するアンテナ重みは、１つ以上のＤＬパイロット信号及び／又は１つ以上のＵＬパイロット信号の受信特性（例えば、振幅及び／又は位相）に基づいて計算することが可能である。これは、例えば、関連するチャネルマトリクスの特異値分解と組み合わせて、無線リンク１１１の様々なチャネルのサウンディングに基づくことができる。次いで、図３のビームフォーミングシナリオについては、チャネル１５１を実装する送信経路のために、ＲＲＨ１０１３−１とアンテナパネル１０２３との間の送信に関連付けられた支配的な特異値を選択することができ、チャネル１５２を実装する送信経路のために、ＲＲＨ１０１３−２とアンテナパネル１０２３との間の送信に関連する支配的な特異値を選択することができる。図４のＭＩＭＯシナリオについては、チャネルマトリクスの全ランクを使用して、様々な空間的に多様なチャネル１５９にわたってデータを送信することが可能である。ここで、干渉ヌリングを用いて、受信機において様々なチャネル１５９の送信経路に沿った信号のゼロ強制、すなわち相関除去をできるようにすることが可能である。従って、様々な送信経路に沿って送信される信号間のクロストークが制限され得る。それぞれの技術は、例えば、David  Tse  and  Pramod  Viswanath,  “Fundamentals  of  Wireless  Communication”,  Cambridge  University  Press,  2005,  section  8.3.1,  “Linear  decorrelator”で知られている。これにより、様々なチャネル及び／又は送信電力の変調ならびに符号化方式の柔軟かつ個々の選択が容易になる。
【００７６】
上述したように、適切なアンテナ重みを決定することによって、ＲＲＨ１０１３−１、１０１３−２のうちの１つ以上を選択的にアドレス指定することが可能である。それによって、バックホールリンク１０１８−１、１０１８−２にかかる負荷を調整することができ、これにより、上記で説明したように、エンドツーエンドＵＬデータスループットを調整することが可能である。
【００７７】
（ｉｉｉ）さらなる実施例として、３００２における複数のチャネル１５１、１５２、１５９の構成は、変調方式及び／もしくは符号化方式、ならびに／又は様々なチャネル１５１、１５２、１５９に対する繰り返しベースＣＥの繰り返し回数を決定することを含んでもよい。
【００７８】
様々なチャネル１５１、１５２、１５９に対する符号化方式、変調方式、及び／又は繰り返しレベルを決定することによって、チャネル当たり及び時間当たりのデータスループットを調整することができる。それによって、バックホールリンク１０１８−１、１０１８−２にかかる負荷を調整することができ、これにより、上記で説明したように、エンドツーエンドＵＬデータスループットを調整することが可能である。
【００７９】
（ｉｖ）さらなる実施例として、既に述べたように、３００３におけるマルチチャネルＵＬ送信１９９の複数のチャネルの構成は、複数のチャネル１５１、１５２、１５９に対する流入トラフィックシェーピングを含んでもよい。流入トラフィックシェーピングは、それぞれのチャネル１５１、１５２、１５９へのデータの流入を適切に制御することに関係してもよい。これには、層２、メディアアクセス制御（Medium  Access  Control：ＭＡＣ）層処理を含むことができ、例えば、データパケットは、様々なチャネル間に分配され得る。この場合、流入トラフィックシェーピングのレート割り当てルールを考慮に入れることがある。複数のチャネル１５１、１５２、１５９のボンディングを実装することができる。ボンディングは、複数のチャネル１５１、１５２、１５９にわたるＵＬデータのデータストリームを分割及び／又は融合する技術に関連することができる。
【００８０】
次いで、マルチチャネルＵＬ送信１９９は、制御データ４００１に基づく構成３００２に従って３００３で実装される。ＵＬデータ４００２は、ＵＥ１０２によって送信され、マルチチャネルＵＬ送信１９９に関与する際にＢＳ１０１によって受信される。
【００８１】
図６は、ＵＥ１０２からＢＳ１０１へのＵＬデータ４０１のマルチチャネルＵＬ送信１９９に関する態様を示す。シグナリングフローは、図６の上から下である。
【００８２】
最初に、ＵＬデータ４０１は、ＵＥ１０２、例えば、ＭＡＣ層の送信バッファに到着する。ＵＬデータ４０１は、パケット化された形態、例えば、ＭＡＣ層上で、ＭＡＣサービスデータユニット（Service  Data  Unit：ＳＤＵ）の形態で到着することができる。
【００８３】
次いで、流入トラフィックシェーピングを実装し、チャネル４５１、４５２を構成する。これは、図３のビームフォーミングシナリオ又は図４のＭＩＭＯシナリオに従って、一般に実装され得る。流入トラフィックシェーピングは、それぞれのチャネル４５１、４５２にわたってデータスループットに影響を与える。
【００８４】
図示の例では、流入トラフィックシェーピングは、ボンディング４１２を含み、ボンディング４１２は、流入トラフィックシェーピングの一部として、マルチチャネルＵＬ送信１９９のチャネル４５１、４５２にわたってＵＬデータ４０１の分配を制御する。例えば、ＵＬデータ４０１がＭＡＣ層送信バッファに到着する場合、次いで、ボンディング４１２は、ＭＡＣサービスデータユニットなどのために実装されてもよい。ボンディング４１２は、レート割り当てルール４１１を考慮してもよい。レート割り当て規則４１１は、様々なチャネル４５１、４５２間のＵＬデータ４０１の分配を規定してもよい。
【００８５】
一般に、流入トラフィックシェーピングは、ボンディング４１２に限定されない。例えば、流入トラフィックシェーピングはまた、各チャネル４５１、４５２に関連付けられた送信バッファ、例えば、層１、ＰＨＹ送信バッファなどのキュー長も考慮してもよい。代替的又は追加的に、流入トラフィックシェーピングは、例えば、チャネル４５１、４５２によって課される特定のレイテンシ制限と比較した場合に、ＵＬデータ４０１の個々のパケットに関連付けられたサービス品質レベルを考慮してもよい。
【００８６】
一般原則として、流入トラフィックシェーピングの特性は、制御データ４００１に応じて、複数のチャネル４５１、４５２を構成する際に設定され得る。例えば、制御データ４００１は、レート割り当てルール４１１を示すことができ、又は、レート割り当てルール４１１は、制御データ４００１に基づいて決定されてもよい。
【００８７】
次に、ボンディング４１２によってチャネル４５１に割り当てられたＵＬデータ４０１は、それぞれの空間送信経路に沿って送信される。ブロック４７２において、チャネル４５２に割り当てられたＵＬデータ４０１は、それぞれの空間送信経路に沿って送信される。これには、ＰＨＹ層１処理が含まれる。アンテナパネル１０２３の様々なアンテナ１０２４のコヒーレント制御を使用して、これらの空間送信経路を実装する。
【００８８】
４８１、４８２において、信号はチャネル４５１、４５２に沿って受信される。これには、ＰＨＹ層１処理が含まれる。ビームフォーミングシナリオにおいて、４８１及び４８２における受信は、互いに独立していることが可能である（図３参照）。ＭＩＭＯシナリオでは、４８１及び４８２における受信は結合され、それぞれの制御シグナリング４９２は、バックホールリンク１０１８−１、１０１８−２に沿ってＲＲＨ１０１３−１、１０１３−２の間で交換されなければならないことがある。これにより、さらなるレイテンシをもたらす可能性がある。
【００８９】
データ４０１の受信が完了すると、データ４０１は、バックホールリンク１０１８−１、１０１８−２を通過する。この場合も、バックホールリンク１０１８−１、１０１８−２の容量における制限により、レイテンシをもたらす可能性がある。
【００９０】
最後に、ボンディング４１２は、チャネル４５１、４５２に関連付けられたデータの個々のストリームをまとめるために、再び実装される。
【００９１】
いくつかの実施例によれば、ＵＥ１０２におけるボンディング４１２の入力側とＢＳ１０１におけるボンディング４１２の出力側との間のエンドツーエンドスループットを、最適化することができる（図６の垂直矢印を参照）。これを行うために、ＵＥ１０２におけるボンディング４１２は、チャネル４５１、４５２ならびにバックホールリンク１０１８−１、１０１８−２の品質を考慮してもよい。
【００９２】
図７は、様々な実施例による方法のフローチャートである。図７の方法は、ＵＥによって実施される。ＵＥは、接続可能であってもよく、又はセルラーネットワークに接続されてもよい。例えば、図７の方法は、ＵＥ１０２の制御回路１０２１、１０２５によって実施されてもよい（図２参照）。図７は、ＵＥからネットワークの１つ以上のＢＳへのマルチチャネルＵＬ送信に関する態様を示す。１つ以上のＢＳは、バックホールリンクを介する複数のＲＲＨへのアクセスを有する。それによって、マルチアンテナ技術が実施される。
【００９３】
最初に、ブロック２００１において、制御データがネットワークから受信される。受信された制御データは、ダウンリンクメッセージ、例えば、層３制御メッセージ又はブロードキャストされたシステム情報ブロックで符号化されてもよい（図５の制御データ４００１を参照）。
【００９４】
制御データは、ネットワークの１つ以上のＢＳの複数のＲＲＨのバックホールリンクに関連付けられる。例えば、制御データは、バックホールリンクの１つ以上の特性に基づいて決定されてもよく、及び／又は、バックホールリンクの１つ以上の特性を示してもよい。
【００９５】
次に、ブロック２００２において、ＵＥからネットワークへのマルチチャネルＵＬ送信が、制御データに基づいて構成される。例えば、制御データに基づいて、マルチチャネルＵＬ送信の１つ以上のチャネルを構成することが可能である。代替的又は追加的に、マルチチャネルＵＬ送信の複数のチャネルの流入トラフィックシェーピングを構成することも可能である。
【００９６】
マルチチャネルＵＬ送信の１つ以上の複数のチャネルを構成するために、様々なオプションが利用可能であり、例えば、複数のチャネルに関連付けられた空間送信経路を定義するアンテナ重みを決定することができる。代替的又は追加的に、それぞれのチャネルのＣＥポリシーの繰り返し回数を設定することが可能である。代替的又は追加的に、変調方式及び／又は符号化方式を、それぞれのチャネルに対して設定することができる。ＭＩＭＯとビームフォーミングのいずれかを選択することが可能である。複数のＲＲＨを位相コヒーレントに目標するか、又は、複数のＲＲＨにわたる位相コヒーレント復号化を必要としないように、複数のＲＲＨのうちの１つ以上を個別に目標とすることが可能である。
【００９７】
マルチチャネルＵＬ送信の流入トラフィックシェーピングを構成するために、様々なオプションが利用可能であり、例えば、複数のチャネルに関連付けられた送信バッファの最大キュー長を設定することができる。レート割り当ては、例えば、対応するレート割り当てルールを設定することによって、設定することができる。例えば、複数のチャネルに関連付けられたサービス品質ルールを設定することができる。
【００９８】
ブロック２００２を実行する際に、１つ以上のチャネル及び／又は流入トラフィックシェーピングの１つ以上のそのようなパラメータの最適化を実装することが一般に可能である。具体的には、最適化は、ＵＥとセルラーネットワークとの間のエンドツーエンドのデータスループットに関して定義される目標関数を有してもよい。
【００９９】
ブロック２００３において、ＵＥは、例えば、上位層からパケット化されたＵＬデータを受信し、パケット化されたＵＬデータを複数のチャネルにわたって分配し、パケット化されたＵＬデータを複数のチャネルに沿って送信することによって、マルチチャネルＵＬ送信に関与する。
【０１００】
図８は、様々な実施例による方法のフローチャートである。例えば、図８の方法は、ＢＳ又は一般にネットワークノードによって実行されてもよい。例えば、図８の方法は、ＢＳ１０１の制御回路１０１１、１０１５によって実行されてもよい（図２参照）。図８は、ＵＥから１つ以上のＢＳへのマルチチャネルＵＬ送信に関する態様を示す。１つ以上のＢＳは、バックホールリンクを介する複数のＲＲＨへのアクセスを有する。それによって、マルチアンテナ技術が実装される。
【０１０１】
最初に、ブロック２０１１において、制御データが決定される。制御データは、バックホールリンクの１つ以上の特性に基づいて決定されてもよい。シナリオに応じて、ブロック２０１１は、ＢＳにおいて多少論理を含んでもよい。
【０１０２】
例えば、いくつかのシナリオでは、制御データは、ＵＥによって使用されるアンテナ重みを示し、次いで、ＵＥとネットワークとの間の無線リンクのチャネルサウンディングを考慮して、アンテナ重みを使用してマルチチャネルＵＬ送信の複数のチャネルを、例えば、１つ以上のＲＲＨの方向に、適切に導き得る。他の実施例では、バックホールリンクのサービス品質に関する単純なレポートである。この場合、ブロック２０１１は、バックホールリンクのサウンディングを含み得る。
【０１０３】
ブロック２０１２において、ブロック２０１１で決定された制御データがＵＥに送信される。したがって、ブロック２０１２は、図７のブロック２００１と相互に関連している。
【０１０４】
次に、ブロック２０１３において、ＢＳはマルチチャネルＵＬ送信に関与する。したがって、ブロック２０１３は、図７のブロック２００３と相互に関連している。
【０１０５】
ＵＥは、ブロック２０１２の制御データに基づいてマルチチャネルＵＬ送信を構成している。マルチチャネルＵＬ送信の構成に応じて、マルチチャネルＵＬ送信の複数のチャネルに沿って通信される信号の受信は、複数のＲＲＨにわたる位相コヒーレント復号化を含むこともあり、又は含まないこともある。
【０１０６】
ブロック２０１３は、バックホールリンクに沿ったＵＬデータのシグナリングを含む。ＵＬデータ送信が制御データに従って構成されているので、バックホールリンクによって課される特定の制限を効果的に緩和することができる。例えば、ＵＬデータは、有効なバックホールリンクとしてのＲＲＨの第１のものに積極的に導くことができ、あまり有効でないバックホールリンクを有するＲＲＨの第２のものから積極的に遠ざけることができる。
【０１０７】
要約すると、ＢＳが２つ以上のＲＲＨを含む複数のアンテナ技術が記載されている。いくつかの実装例では、ＢＳとＵＥとの間のＤＬ通信が実装され、ＢＳはバックホールリンクのうちの少なくとも１つの品質についてＵＥに通知することができ、ＢＳは次いで、適切な送信方策を選択するようにＵＥに任せる。あるいは、ＢＳは、バックホールリンクの交換能力に応じて、ＵＥで実行される送信方策及び動作を指示することがある。
【０１０８】
これらの技術は、バックホールリンクの特性がＵＥにとって未知である従来の技術の限界を克服するのに役立つ。このような従来の技術では、ＵＥは、典型的には、保守的な位置をとり、最悪の場合を想定し、それによって、全体的なＵＬデータスループットにかなりの損失を強いる。
【０１０９】
要約すると、以下の実施例が記載されている。
【０１１０】
実施例１
無線通信デバイス（１０２）と、少なくとも１つのネットワークノード（１０１）の複数の受信パネル（１０１３−１、１０１３−２）との間に複数のチャネル（１５１、１５２、１５９、４５１、４５２）を含む、マルチチャネルアップリンク送信（１９９）を構成する方法であって、複数の受信パネル（１０１３−１、１０１３−２）及び少なくとも１つのネットワークノード（１０１）は、バックホールリンク（１０１８−１、１０１８−２）を介して接続され、方法は、無線通信デバイス（１０２）によって実行され、方法は、マルチチャネルアップリンク送信(１９９)のためのダウンリンクメッセージ符号化制御データ（４００１）を、少なくとも１つのネットワークノード（１０１）から受信することであって、制御データ（４００１）は、バックホールリンクに関連付けられる、受信することと、制御データ（４００１）に基づいて、マルチチャネルアップリンク送信（１９９）を構成することと、を含む、方法。
【０１１１】
実施例２
上記構成することは、（ｉ）それぞれの複数の受信パネル（１０１３−１、１０１３−２）を非コヒーレントに目標とするビームフォーミングされた送信経路と、（ｉｉ）複数の受信パネル（１０１３−１、１０１３−２）をコヒーレントに目標とする空間的に多様な送信経路との間で選択することを含む、実施例１に記載の方法。
【０１１２】
実施例３
無線通信デバイス（１０２）はアンテナを含み、上記構成することは、アンテナに対するアンテナ重みを決定することを含む、実施例１又は２の方法。例えば、制御データは、アンテナ重みを示してもよい。複数のチャネルは、複数の受信パネルをコヒーレントに目標とする空間的に多様な送信経路を実装してもよい。例えば、アンテナ重みは、空間的に多様な送信経路の異なるものに沿って送信されるマルチチャネルアップリンク送信の信号の干渉をゼロにする相関除去を可能にするように決定されてもよい。
【０１１３】
実施例４
上記構成することは、無線通信デバイス（１０２）と少なくとも１つのネットワークノード（１０１）との間のエンドツーエンドのスループットの最適化を実行することを含む、実施例１〜３のいずれか１つに記載の方法。
【０１１４】
実施例５
上記構成することは、マルチチャネルアップリンク送信（１９９）の複数のチャネル（１５１、１５２、１５９、４５１、４５２）に対する流入トラフィックシェーピングを含む、実施例１〜４のいずれか１つに記載の方法。
【０１１５】
実施例６
流入トラフィックシェーピングは、マルチチャネルアップリンク送信（１９９）の複数のチャネル（１５１、１５２、１５９、４５１、４５２）のボンディング（４１２）を含む、実施例５に記載の方法。
【０１１６】
実施例７
制御データ（４００１）は、マルチチャネルアップリンク送信（１９９）の複数のチャネル（１５１、１５２、１５９、４５１、４５２）に対する流入トラフィックシェーピングのレート割り当てを示す、実施例５又は６に記載の方法。
【０１１７】
実施例８
前記構成することは、マルチチャネルアップリンク送信の変調化方式及び符号化方式のうちの少なくとも１つを設定することを含む、実施例１〜７のいずれか１つに記載の方法。代替的又は追加的に、構成することは、マルチチャネルアップリンク送信（１９９）の繰り返しベースのカバレッジ拡張の繰り返し回数を設定することを含んでもよい。
【０１１８】
実施例９
制御データ（４００１）は、バックホールリンク（１０１８−１、１０１８−２）のうちの少なくとも１つのサービス品質を示す、実施例１〜８のいずれか１つに記載の方法。例えば、サービス品質は、少なくとも１つのバックホールリンクに関連付けられたレイテンシ、エラー率、優先度、及びスループット率のうちの少なくとも１つを含んでもよい。
【０１１９】
上述の様々な実施例では、制御データは、複数の候補構成から選択された複数のチャネルの構成を一般に示すことができる。
【０１２０】
上述の様々な実施例では、少なくとも１つのバックホールリンクは、複数の受信パネル間の距離、複数の受信パネル間の送信体のスループット、バックホールリンクのシステム負荷、コアネットワークシグナリングの制限、のうちの少なくとも１つにより制限されたデータスループットを有することがある。
【０１２１】
実施例１０
複数の受信パネル（１０１３−１、１０１３−２）へのアクセスを有するネットワークノードを動作する方法であって、複数の受信パネル（１０１３−１、１０１３−２）及び少なくとも１つのネットワークノード（１０１）は、バックホールリンク（１０１８−１、１０１８−２）を介して接続され、方法は、マルチチャネルアップリンク送信（１９９）のためのダウンリンクメッセージ符号化制御データ（４００１）を、無線通信デバイス（１０２）に送信することであって、制御データ（４００１）は、バックホールリンクに関連付けられる、送信することと、制御データに（４００１）基づいて構成されるマルチチャネルアップリンク送信（１９９）に関与することと、を含む、方法。
【０１２２】
実施例１１
無線通信デバイス（１０２）と、少なくとも１つのネットワークノードの（１０１）の複数の受信パネル（１０１３−１、１０１３−２）との間に複数のチャネル（１５１、１５２、１５９、４５１、４５２）を含むマルチチャネルアップリンク送信（１９９）を構成するように動作する無線通信デバイスであって、複数の受信パネル（１０１３−１、１０１３−２）及び少なくとも１つのネットワークノードの（１０１）は、バックホールリンク（１０１８−１、１０１８−２）を介して接続され、無線通信デバイスは、マルチチャネルアップリンク送信（１９９）のためのダウンリンクメッセージ符号化制御データ（４００１）を、少なくとも１つのネットワークノード（１０１）から受信し、制御データ（４００１）は、バックホールリンクに関連付けられ、制御データ（４００１）に基づいて、前記マルチチャネルアップリンク送信（１９９）を構成する、ように構成されている、無線通信デバイス。
【０１２３】
無線通信デバイスは、実施例１〜９のいずれか１つの方法を実行するように構成されることが可能である。
【０１２４】
実施例１２
複数の受信パネルへのアクセスを有するネットワークノードであって、複数の受信パネル（１０１３−１、１０１３−２）及び少なくとも１つのネットワークノード（１０１）は、バックホールリンク（１０１８−１、１０１８−２）を介して接続され、ネットワークノードは、マルチチャネルアップリンク送信（１９９）のためのダウンリンクメッセージ符号化制御データ（４００１）を、無線通信デバイス（１０２）に送信し、制御データ（４００１）は、バックホールリンクに関連付けられ、制御データに（４００１）基づいて構成されるマルチチャネルアップリンク送信（１９９）に任意選択的に関与する、ように構成されている、ネットワークノード。
【０１２５】
本発明は、特定の好ましい実施形態に関して示され、記載されているが、本明細書を読み、理解すると、他の当業者は、等価物及び修正を思い付くであろう。本発明は、そのような等価物及び修正を全て含み、添付の特許請求の範囲によってのみ制限される。
【０１２６】
説明のために、上記で、複数のアンテナパネルがバックホールリンクを介して所与のＢＳに接続される様々な技術が記載されている。いくつかのシナリオでは、複数のアンテナパネルはまた、バックホールリンクを介して複数のＢＳに接続されてもよい。その場合、コアネットワークシグナリングによってＢＳ間に接続性が追加されてもよい。
【０１２７】
さらなる説明のために、上記で、１つ以上のＢＳと通信するＵＥに関して様々なシナリオが記載されている。同様のシナリオは、任意の無線通信デバイスと他の種類及びタイプのネットワークノード、例えば、無線ローカルエリアネットワーク（Wireless  Local  Area  Network：ＷＬＡＮ）、アクセスノードとの間の通信にも適用され得る。
【０１２８】
さらなる説明のために、上記で、ＵＥからネットワークへのアップリンク送信に関して様々なシナリオが記載されている。同様のシナリオもまた、２つの静止ノード間の通信のために実施されてもよい。
【図１】
2021533664.tif 000003
【図２】
2021533664.tif 000004
【図３】
2021533664.tif 000005
【図４】
2021533664.tif 000006
【図５】
2021533664.tif 000007
【図６】
2021533664.tif 000008
【図７】
2021533664.tif 000009
【図８】
2021533664.tif 000010
【国際調査報告】
2021533664.tif 000011
2021533664.tif 000012
2021533664.tif 000013